(57)【要約】      （修正有）【課題】カメラ操作に伴う文字情報の表示領域を独立して確保し、観察画像に対する妨げを防止する。【解決手段】４：３アスペクト比変換回路１３は入力した１６：９のアスペクト比の映像データにアスペクト変換処理を施して表示画像が４：３のアスペクト比となる映像データを生成しタイミングセレクタ１４に出力する。タイミングセレクタ１４は、ライン毎に特定の水平位置での４：３のアスペクト比にアスペクト変換された映像データと、ＣＰＵ１７の指示制御によりキャラクタージェネレータ１５及びメニュー画面回路１６によって生成されたメニュー画面に基づく文字映像信号との切り替えを行い、スイッチング回路１２に出力する。【選択図】図１
2005110798.tif 000002
【特許請求の範囲】
【請求項１】
第１のアスペクト比の撮像面を有する撮像手段により撮像された撮像信号に基づき、前記第１のアスペクト比の表示手段に対応した第１の被写体映像信号を生成可能な映像信号生成手段と、
前記映像信号生成手段で生成された第１の被写体映像信号を、前記表示手段に第２のアスペクト比で表示可能な第２の被写体映像信号に変換するアスペクト比変換手段と、
前記撮像手段の所定機能を操作可能な操作手段と、
前記操作手段に関連する関連情報映像信号を、前記第２の被写体映像信号と並べて前記表示手段に表示可能な第３のアスペクト比で生成可能な関連情報映像生成手段と、
前記関連情報映像信号と前記第２の被写体映像信号とを所定のタイミングで合成し、前記第１のアスペクト比に対応した合成映像信号を生成する合成映像信号生成手段と、
前記合成映像信号生成手段からの前記合成映像信号と前記第１の被写体映像信号とを切替可能な切替手段と、
前記操作手段からの操作信号に基づき、前記切替手段を制御する制御手段と、
を具備したことを特徴とする表示制御装置。
【発明の詳細な説明】
【技術分野】
【０００１】
本発明は、撮像手段からの撮像信号をモニタに出力して表示させる表示制御装置に係り、詳しくはメニュー画面を前記撮像信号に基づく画像とともに前記モニタの画面上に表示させる表示制御装置に関する。
【背景技術】
【０００２】
従来より、例えばビデオカメラは、光学式内視鏡の接眼部に装着し、前記ビデオカメラでとらえた内視鏡画像（以下、観察画像と称す）をモニタ表示し、その画像を見ながら観察・処置が行えるシステムとして広く用いられている。
【０００３】
この種のシステムは、撮像素子を内蔵したビデオカメラと、このビデオカメラにより撮像した撮像信号に基づく画像を表示するための信号処理回路を備えたカメラコントローラと、このカメラコントローラからの出力映像信号に基づく画像を表示するモニタとを用いて、内視鏡観察下において観察・処置あるいは手術が行えるようになっている。
【０００４】
このようなシステムは、前記カメラコントローラの前面パネルの清掃を行う場合を考慮し、このカメラコントローラの操作スイッチの数を低減させるために、モニタ上にメニュー画面を表示させて各種機能の設定や切替えを行うタイプのものが知られている。
【０００５】
このような従来のシステムは、観察画像の表示時、前記ビデオカメラによってアスペクト比（画面の縦横比）４：３の撮像信号をカメラコントローラを介してモニタに出力することにより、アスペクト比４：３の画面に観察画像を表示させるようになっている。また、前記システムは、前記メニュー画面を用いたメニュー操作時には、上記同様、前記ビデオカメラにより得られた観察画像を画面に表示させ、同時に前記カメラコントローラによってメニュー画面の文字を生成し、このメニュー画面をモニタ上の観察画像が表示されているアスペクト比４：３の観察画面にスーパーインポーズするように表示させている。
【０００６】
画像表示技術における従来技術としては、例えば特開平４−１２４９８３号公報に記載の画像表示システムや、本件出願人によって提案がなされた特開平４−３５７９２７号公報に記載の内視鏡画像表示装置がある。
【０００７】
前記特開平４−１２４９８３号公報は、ワイドアスペクト比（通常、画面の縦横比が１６：９）のテレビジョン受像機の画面に、前記アスペクト比より小さなアスペクト比の画像を表示し、前記画面の余白領域に、文字多重データを表示するようにした画像表示システムを開示している。
【０００８】
また、前記特開平４−３５７９２７号公報は、内視鏡画像を表示するモニタ上にパソコンで検索に用いられる検索操作のための画面を同時に表示し、単一の画面を見ながら、検索操作及び検索された内視鏡画像の確認、診断を可能にした内視鏡画像表示装置を開示している。
【特許文献１】特開平４−１２４９８３号公報
【特許文献２】特開平４−３５７９２７号公報
【発明の開示】
【発明が解決しようとする課題】
【０００９】
従来のシステムでは、前記メニュー画面を用いたメニュー操作時にメニュー画面の文字が、モニタ上に観察画像が表示されているアスペクト比４：３の観察画面にスーパーインポーズされてしまうため、メニュー操作中の場合には前記観察画面による観察が文字によって妨げられてしまう虞れがあった。そこで、前記文字の表示部を観察画面とは独立させて同一の画面上に表示することが考えられるが、そのようにすると、前記従来のシステムは、アスペクト比４：３の撮像信号に基づく画像を観察画面に表示するものであるため、観察画像が小さくなってしまうといった不都合があった。
【００１０】
また、前記特開平４−１２４９８３号公報の提案では、単にワイドアスペクト比よりも小さいアスペクト比のテレビジョン信号に基づく画像をワイドアスペクト比のテレビジョン受像機の画面に表示し、前記画面の余白領域に、文字多重データを表示するようにしたものであり、上述した従来の医療用ビデオカメラシステムの問題点を解決するための手段についてはなんら開示、示唆されていない。
【００１１】
また、前記特開平４−３５７９２７号公報の提案では、内視鏡画像を表示するモニタ上にパソコンで検索に用いられる検索操作のための画面を同時に表示するものではあるが、上述したように医療用のビデオカメラのメニュー画面を内視鏡画像と同時に表示させるものではなく、また、内視鏡画像を見やすくするアスペクト比についてもなんら述べられてはいない。
【００１２】
本発明は上記事情に鑑みてなされたものであり、ビデオカメラの操作に伴い表示する文字情報の表示領域を独立して確保することで、文字表示の際の観察画像に対する妨げを防止するとともに、文字情報の表示領域を設けながらも画像観察領域を充分に確保することができる表示制御装置を提供することを目的とする。
【課題を解決するための手段】
【００１３】
本発明の表示制御装置は、第１のアスペクト比の撮像面を有する撮像手段により撮像された撮像信号に基づき、前記第１のアスペクト比の表示手段に対応した第１の被写体映像信号を生成可能な映像信号生成手段と、前記映像信号生成手段で生成された第１の被写体映像信号を、前記表示手段に第２のアスペクト比で表示可能な第２の被写体映像信号に変換するアスペクト比変換手段と、前記撮像手段の所定機能を操作可能な操作手段と、前記操作手段に関連する関連情報映像信号を、前記第２の被写体映像信号と並べて前記表示手段に表示可能な第３のアスペクト比で生成可能な関連情報映像生成手段と、前記関連情報映像信号と前記第２の被写体映像信号とを所定のタイミングで合成し、前記第１のアスペクト比に対応した合成映像信号を生成する合成映像信号生成手段と、前記合成映像信号生成手段からの前記合成映像信号と前記第１の被写体映像信号とを切替可能な切替手段と、前記操作手段からの操作信号に基づき、前記切替手段を制御する制御手段と、を具備したことを特徴とするものである。
【発明の効果】
【００１４】
本発明の表示制御装置は、ビデオカメラの操作に伴い表示する文字情報の表示領域を独立して確保することで、文字表示の際の観察画像に対する妨げを防止するとともに、文字情報の表示領域を設けながらも画像観察領域を充分に確保することができるといった利点がある。
【発明を実施するための最良の形態】
【００１５】
以下、図面を参照して本発明の実施例を説明する。
【実施例１】
【００１６】
図１乃至図４は本発明の表示制御装置の一実施例を示し、図１は表示制御装置全体の構成を示す構成図、図２及び図３は表示制御装置の作用を説明するためのモニタの画面表示図を示し、図２は通常時の観察表示画面、図３はメニュー操作時の表示画面をそれぞれ示している。また、図４は図１に示す表示制御装置の電気的な回路構成を示すブロック図である。
【００１７】
図１に示すように、本実施例のカメラユニット１は、１６：９のアスペクト比を有する固体撮像素子（以下、ＣＣＤと称す）２、このＣＣＤ２に観察対象物の光学像を取り込み結像させる結像光学系３、及び操作手段としてのリモートスイッチ４等を有するカメラヘッド５と、後述するカメラコントローラ６に接続するためのコネクタ７と、このコネクタ７と前記カメラヘッド５との間に延設するカメラケーブル８と、を有して構成されている。
【００１８】
前記カメラヘッド５は、マウント部５Ａを有し、このマウント部５Ａを介して図示しない光学内視鏡の接眼部に装着し、この光学内視鏡の図示しない観察光学系による光学像、あるいは直接観察対象物の光学像を前記結像光学系３を介して前記ＣＣＤ２に結像させるようになっている。このカメラヘッド５は、前記ＣＣＤ２により前記結像光学系３を介して取り込み結像された光学像を撮像信号に光電変換し、この変換した撮像信号を前記カメラケーブル８を介して前記カメラコントローラ６に出力するようになっている。なお、前記ＣＣＤ２は、結像した光学像に対し、表示画像が１６：９のアスペクト比になる撮像信号に変換して出力するようになっている。
【００１９】
前記カメラヘッド５のリモートスイッチ４は、このカメラヘッド５の設定や切替えを行うメニュー画面の表示等の各種動作を指示するための操作手段である。このリモートスイッチ４は、術者によってこのリモートスイッチ４が操作されると、この操作に基づく操作信号を生成し、生成した操作信号を前記カメラケーブル８を介して、後述するカメラコントローラ６のＣＰＵ１７（図４参照）に出力するようになっている。
【００２０】
前記カメラコントローラ６は、前記カメラヘッド５から出力された撮像信号に信号処理を施して映像信号を生成する。このカメラコントローラ６は、映像信号ケーブル９を介して１６：９のワイドアスペクト比のモニタ１０に接続されるようになっており、生成した映像信号を前記モニタ１０に出力する。
【００２１】
これにより、前記モニタ１０は、カメラヘッド５で撮像した画像を、例えば図２に示すように１６：９のアスペクト比の観察画像画面１０Ａ上に表示し、術者はこのモニタ１０の観察画像画面１０Ａに表示された観察画像を見ながら観察対象物の観察、処置等を行うことができるようになっている。
【００２２】
また、前記カメラコントローラ６は、前記コネクタ７が配されるフロントパネル６Ａを有し、このフロントパネル６Ａには、前記カメラヘッド５の機能を操作するための操作手段としてのメニュースイッチ６Ｂが設けられている。このメニュースイッチ６Ｂは、前記カメラヘッド５の使用時に、前記メニュー画面を前記モニタ１０に表示させたい時に押下する操作手段である。したがって、このメニュースイッチ６Ｂは、術者によってこのメニュースイッチ６Ｂが操作されると、この操作に基づき操作信号を生成し、生成した操作信号を前記カメラコントローラ６内のＣＰＵ１７（図４参照）に出力するようになっている。
【００２３】
次に、図１に示す表示制御装置の電気的回路構成を図４を参照しながら説明する。
【００２４】
図４に示すように、前記カメラヘッド５のＣＣＤ２からの撮像信号は、カメラケーブル８を介して、前記カメラコントローラ６内のＡ／Ｄ変換器１１ａに供給される。
【００２５】
前記カメラヘッド５のリモートスイッチ４からの操作信号は、上述したように前記カメラケーブル８を介して、前記カメラコントローラ６内のＣＰＵ１７に供給される。また、前記カメラコントローラ６のメニュースイッチ６Ｂからの操作信号は、前記カメラコントローラ６内のＣＰＵ１７に供給される。
【００２６】
前記カメラコントローラ６は、前記ＣＣＤ２からの撮像信号が入力されるＡ／Ｄ変換器１１ａと、このＡ／Ｄ変換器１１ａの出力信号に信号処理を施す入力映像信号生成手段としてのデジタルシグナルプロセッサ（Digital Signal Processor、以下、ＤＳＰと称す）１１と、このＤＳＰ１１の出力信号と後述するタイミングセレクタ１４の出力信号とを切替える切替え手段としてのスイッチング回路１２と、前記ＤＳＰ１１の出力信号にアスペクト変換処理を施すアスペクト比変換手段としての４：３アスペクト比変換回路１３と、前記スイッチング回路１２の出力信号を入力するＤ／Ａ変換器１１ｂと、後述するメニュー画面回路１６の文字映像信号と４：３アスペクト比変換回路１３からの映像信号とを切替えて出力する関連情報映像生成手段としてのタイミングセレクタ１４と、英字、数字、記号、日本字などのキャラクタ情報を有し、このキャラクタ情報から所定の文字（文字列）を発生して出力するキャラクタージェネレータ１５（関連情報映像生成手段）と、このキャラクタージェネレータ１５からの文字を基にメニュー画面に対応する文字映像信号を生成するメニュー画面回路１６（関連情報映像生成手段）と、前記リモートスイッチ４からの操作信号または前記メニュースイッチ６Ｂからの操作信号に基づき、前記ＤＳＰ１１、前記スイッチング回路１２及びキャラクタージェネレータ１５を制御する制御手段としてのＣＰＵ１７と、を有している。
【００２７】
前記Ａ／Ｄ変換器１１ａは、ＣＣＤ２からのアナログの撮像信号をディジタルデータに変換し、変換したディジタルデータを前記ＤＳＰ１１に出力する。このＤＳＰ１１は、入力されたディジタルデータに信号処理を施して映像データを生成し、スイッチング回路１２及び４：３アスペクト比変換回路１３に出力する。
【００２８】
前記４：３アスペクト比変換回路１３は、入力した映像データが１６：９のアスペクト比であるため、この１６：９のアスペクト比の映像データにアスペクト変換処理を施して表示画像が４：３のアスペクト比となる映像データを生成し、前記タイミングセレクタ１４に出力する。
【００２９】
前記キャラクタージェネレータ１５は、前記キャラクタ情報の内、前記ＣＰＵ１７の指示制御により指示された所定の文字（文字列）を前記メニュー画面回路１６に出力する。このメニュー画面回路１６は、前記キャラクタージェネレータ１５からの文字（文字列）を基にメニュー画面に対応する文字映像信号を生成し、前記タイミングセレクタ１４に出力する。
【００３０】
前記タイミングセレクタ１４は、前記アスペクト比変換回路１３により４：３のアスペクト比にアスペクト変換された映像データと、前記メニュー画面回路１６からの文字映像信号とを、所定のタイミングにより前記モニタ１０の画面の水平方向に切り替えて出力する回路であり、その出力は前記スイッチング回路１２に出力されるようになっている。
【００３１】
前記スイッチング回路１２は、前記ＤＳＰ１１からのアスペクト比が１６：９の映像データと、前記タイミングセレクタ１４からの出力データとを、前記ＣＰＵ１７の制御によって切り替えて前記Ｄ／Ａ変換器１１ｂに出力する。
【００３２】
前記Ｄ／Ａ変換器１１ｂは、入力されたディジタルデータをアナログ信号に変換し、変換した映像信号を、映像信号ケーブル９を介してモニタ１０に出力する。
【００３３】
前記ＣＰＵ１７は、本実施例の表示制御装置全体の各種動作を制御するもので、上述したように前記リモートスイッチ４又はメニュースイッチ６Ｂの操作による操作信号に基づき、前記カメラコントローラ６内の前記ＤＳＰ１１、前記スイッチング回路１２及びキャラクタージェネレータ１５を制御するようになっている。
【００３４】
次に、本実施例の表示制御装置の作用を図４を参照しながら説明する。
【００３５】
いま、図１に示すシステムを用いて観察対象物の観察、処置を行っている際に、術者がカメラコントローラ６のフロントパネル６Ａに配されたメニュースイッチ６Ｂ、あるいはカメラヘッド５のリモートスイッチ４を操作したとする。
【００３６】
すると、前記メニュースイッチ６Ｂ、あるいは前記リモートスイッチ４からの操作信号は、図４に示すカメラコントローラ６のＣＰＵ１７に出力される。
【００３７】
前記ＣＰＵ１７は、入力された操作信号からメニュー画面表示モードであることを認識し、このメニュー画面表示モードを実行するための制御を行う。
【００３８】
つまり、前記ＣＰＵ１７は、前記スイッチング回路１２の切り替え制御を行い、前記タイミングセレクタ１４からの出力データに切り替えて、切り替えた出力データを前記Ｄ／Ａ変換器１１ｂに出力させる。
【００３９】
この場合、前記４：３アスペクト比変換回路１３は、入力した１６：９のアスペクト比の映像データにアスペクト変換処理を施して表示画像が４：３のアスペクト比となる映像データを生成し、前記タイミングセレクタ１４に出力する。
【００４０】
同時に、前記ＣＰＵ１７は、前記キャラクタージェネレータ１５を指示制御して、前記キャラクタ情報の内、前記ＣＰＵ１７により指示された所定の文字（文字列）を前記メニュー画面回路１６に出力させる。そして、このメニュー画面回路１６は、前記キャラクタージェネレータ１５からの文字（文字列）を基にメニュー画面に対応する文字映像信号を生成し、前記タイミングセレクタ１４に出力する。
【００４１】
前記タイミングセレクタ１４は、ライン毎に特定の水平位置での４：３のアスペクト比にアスペクト変換された映像データと、前記メニュー画面回路１６からの文字映像信号との切り替えを行い、前記スイッチング回路１２に出力する。
【００４２】
このように本実施例の表示制御装置は、このような出力映像データが、前記ＣＰＵ１７による前記スイッチング回路１２の切り替え制御によって切り替えられて、前記Ｄ／Ａ変換器１１ｂに出力されることになる。そして、この出力映像データは、前記Ｄ／Ａ変換器１１ｂによってアナログ信号に変換され、変換された映像信号は、映像信号ケーブル９を介してモニタ１０に出力されて、モニタ１０によってこの供給された映像信号に基づく画像、即ち、図３に示すようなモニタ１０画面左側に観察画像を表示した４：３のアスペクト比の観察画像画面１０ａと、この観察画像画面１０ａに並ぶようにモニタ１０画面右側に配されメニューの文字を表示した４：９のアスペクト比のメニュー画面１０ｂとを有する画面１０Ｂが表示されることになる。
【００４３】
したがって、本実施例によれば、メニュースイッチ６Ｂ又はリモートスイッチ４によるメニュー操作に伴ない、メニューの文字はモニタ１０画面右端の４：９のアスペクト比のメニュー画面１０ｂに表示されるため、メニューの文字によって観察画像画面１０ａによる画像観察を妨げることがない。また、表示制御装置は、１６：９のアスペクト比の画面を分割して用いるように表示制御するので、メニュー画面１０ｂを表示しても、観察画像画面１０ａは４：３のアスペクト比を確保することが可能であり、メニュー画面１０ｂ表示中もほとんど問題なく観察対象物の観察を継続することができる。
【００４４】
なお、本実施例では、１６：９のモニタ１０の画面に、観察画像を表示する４：３の観察画像画面と、４：９のメニュー画面１０ｂとを同時に並べて表示することについて説明したが、前記メニュー画面１０ｂは、メニュー画面に関わる文字列を表示することに限定されるものではなく、例えば、前記キャラクタージェネレータ１５により、前記表示制御装置による操作を行った際の機能、詳しくは機能切り替え操作に関する情報（補助情報）に基づく文字列を発生させ、前記メニュー画面回路１６にて前記メニュー画面１０ｂと略同様の機器情報画面に対応する文字映像信号を生成し、この機器情報画面をモニタ１０画面右端の４：９のアスペクト比の領域（画面）に表示させるように制御しても良い。
【００４５】
これにより、さらに、カメラヘッド５の機能切替操作を行うと同時にその操作に関する補助情報が表示されることで、術者に対し操作の結果に関する情報を的確に知らしめることができるため、誤使用、誤操作を防止することが可能となる。
【００４６】
本発明は、上述した実施例、変形例に限定されるものではなく、発明の要旨を逸脱しない範囲で種々変形実施可能である。
【００４７】
［付記］
（１）  第１のアスペクト比の撮像面を有する撮像手段により撮像された撮像信号に基づき、前記第１のアスペクト比の表示手段に対応した第１の被写体映像信号を生成可能な映像信号生成手段と、
前記映像信号生成手段で生成された第１の被写体映像信号を、前記表示手段に第２のアスペクト比で表示可能な第２の被写体映像信号に変換するアスペクト比変換手段と、
前記撮像手段の所定機能を操作可能な操作手段と、
前記操作手段に関連する関連情報映像信号を、前記第２の被写体映像信号と並べて前記表示手段に表示可能な第３のアスペクト比で生成可能な関連情報映像生成手段と、
前記関連情報映像信号と前記第２の被写体映像信号とを所定のタイミングで合成し、前記第１のアスペクト比に対応した合成映像信号を生成する合成映像信号生成手段と、
前記合成映像信号生成手段からの前記合成映像信号と前記第１の被写体映像信号とを切替可能な切替手段と、
前記操作手段からの操作信号に基づき、前記切替手段を制御する制御手段と、
を具備したことを特徴とする表示制御装置。
【００４８】
（２）  前記制御手段は、前記切替え手段からの出力映像信号を前記第１のアスペクト比の表示手段に出力させて表示させることを特徴とする付記（１）に記載の表示制御装置。
【００４９】
（３）  前記関連情報映像信号は、前記操作手段の所定機能を設定、あるいは切替えを行うためのメニュー画面に基づき映像信号であることを特徴とする付記（１）に記載の表示制御装置。
【００５０】
（４）  前記関連情報映像信号は、前記メニュー画面に基づき操作を行った際の操作説明を行う文字情報を含む機器情報画面に基づく映像信号であることを特徴とする付記（１）に記載の表示制御装置。
【００５１】
（５）  前記第１のアスペクト比は、１６：９であることを特徴とする付記（１）乃至付記（４）のいずれか１つに記載の表示制御装置。
【００５２】
（６）  前記第２のアスペクト比は、４：３であることを特徴とする付記（５）に記載の表示制御装置。
【００５３】
（７）  前記第３のアスペクト比は、４：９であることを特徴とする付記（６）に記載の表示制御装置。
【００５４】
（８）  機器の操作に伴ない観察モニター上に何らかの文字が表示される医療用ビデオカメラ装置において、
前記ビデオカメラはワイドアスペクト比の観察画像を撮像可能であって、前記文字が表示される際に、前記ビデオカメラの観察画像は前記ワイドアスペクト比より小さなアスペクト比で表示され、前記文字は前記フイドアスペクト比の画面中の、前記ビデオカメラの観察画像が表示される画面以外の部分に表示されることを特徴とする医療用ビデオカメラ装置。
【００５５】
（９）  機器の操作に伴ない観察モニター上に何らかの文字が表示される医療用ビデオカメラ装置において、
前記ビデオカメラはアスペクト比１６：９の観察画像を撮像可能であって、前記文字が表示される際に、前記文字は４：９のアスペクト比の画面に表示され、前記ビデオカメラの観察画像は４３のアスペクト比で表示され、前記４：９のアスペクト比のメニュー画面と、前記４：３のアスペクト比のビデオカメラ観察画像画面が、１６：９のアスペクト比の画面中に並んで表示されることを特徴とする医療用ビデオカメラ装置。
【産業上の利用可能性】
【００５６】
本発明の表示制御装置は、ビデオカメラの操作に伴い表示する文字情報の表示領域を独立して確保することで、文字表示の際の観察画像に対する妨げを防止するとともに、文字情報の表示領域を設けながらも画像観察領域を充分に確保することができるので、医療用として、さらには観察対象物の検査を迅速且つ確実に行う工業用などの表示制御装置として用いることにも有効である。
【図面の簡単な説明】
【００５７】
【図１】本発明の表示制御装置の一実施例を示し、表示制御装置全体の構成を示す構成図。
【図２】表示制御装置の作用を説明するもので、モニタの通常時の観察表示画面を示す図。
【図３】表示制御装置の作用を説明するもので、モニタのメニュー操作時の表示画面を示す図。
【図４】図１に示す表示制御装置の電気的な回路構成を示すブロック図。
【符号の説明】
【００５８】
１  カメラユニット、
２…ＣＣＤ、
３…結像光学系、
４…リモートスイッチ、
５…カメラヘッド、
５Ａ…マウント部、
６…カメラコントローラ、
６Ａ…フロントパネル、
６Ｂ…メニュースイッチ、
７…コネクタ、
８…カメラケーブル、
９…映像信号ケーブル、
１０…モニタ、
１０Ｂ…画面（重畳画面）、
１０ａ…観察画像画面、
１０ｂ…メニュー画面、
１１ａ…Ａ／Ｄ変換器、
１１ｂ…Ｄ／Ａ変換器、
１２…スイッチング回路、
１３…アスペクト比変換回路、
１４…タイミングセレクタ、
１５…キャラクタージェネレータ、
１６…メニュー画面回路、
１７…ＣＰＵ。
代理人    弁理士      伊    藤      進
【図１】
2005110798.tif 000003
【図２】
2005110798.tif 000004
【図３】
2005110798.tif 000005
【図４】
2005110798.tif 000006